(57)【要約】【課題】走行変速レバーと作業機昇降操作レバーを互いの操作を邪魔しないようにサイドパネルに配置する。【解決手段】運転座席１４の外側方に、主変速レバー８及び作業機昇降操作レバー１１が配置されるサイドパネル１６を備えたトラクタにおいて、サイドパネル１６の前側に、主変速レバー８と作業機昇降操作レバー１１を前後方向操作可能に並列して設けるにあたり、主変速レバー８の操作レンジを外側かつ前側、作業機昇降操作レバー１１の操作レンジを内側かつ後側に設けて、両レバー８、１１の操作レンジを前後にずらすとともに、主変速レバー８の自動変速レンジＡを、作業機昇降操作レバー１１の下降操作レンジとオーバーラップさせた。【選択図】図４
2015074326.tif 000002
【特許請求の範囲】
【請求項１】
運転座席の外側方に、走行変速レバー及び作業機昇降操作レバーが配置されるサイドパネルを備えたトラクタにおいて、
前記サイドパネルの前側に、走行変速レバーと作業機昇降操作レバーを前後方向操作可能に並列して設けるにあたり、走行変速レバーの操作レンジを外側かつ前側、作業機昇降操作レバーの操作レンジを内側かつ後側に設けて、両レバーの操作レンジを前後にずらすとともに、作業機昇降操作レバーの前方操作で作業機を下降動作、作業機昇降操作レバーの後方操作で作業機を上昇動作させ、さらに、走行変速レバーの操作レンジに、ニュートラル位置よりも前方に行くほど増速側にトランスミッションを変速動作させる手動変速操作レンジと、ニュートラル位置の後方位置に設定され、アクセルペダルの操作に応じてトランスミッションを自動的に変速動作させる自動変速レンジとを設け、該自動変速レンジの前後方向の位置を、作業機昇降操作レバーの下降操作レンジとオーバーラップさせたことを特徴とするトラクタ。
【請求項２】
前記サイドパネルの後部かつ外側に、自動制御用の設定操作具が配置される設定パネル部を設けたことを特徴とする請求項１に記載のトラクタ。
【発明の詳細な説明】
【技術分野】
【０００１】
本発明は、運転座席の外側方に、走行変速レバー及び作業機昇降操作レバーが配置されるサイドパネルを備えたトラクタに関する。
【背景技術】
【０００２】
トラクタでは、オペレータが着座する運転座席の周囲に様々な操作具が配置されるが、走行中に操作される操作具は、ステアリングハンドルを握る手の持ち変えが発生しないように配置すること好ましい。例えば、特許文献１に示されるトラクタでは、運転座席の右外側方に設けられるサイドパネルに、走行変速レバー（副変速レバーと主変速用の増減速スイッチ）及び作業機昇降操作レバーを配置し、ステアリングハンドルを持ち換えなくても、走行変速操作や作業機昇降操作が行なえるようになっている。
【先行技術文献】
【特許文献】
【０００３】
【特許文献１】特開２０１２−１０１８号公報
【発明の概要】
【発明が解決しようとする課題】
【０００４】
しかしながら、サイドパネルには、自動制御用の各種設定操作具やアームレストが設けられるので、配設空間に限りがあり、サイドパネルに走行変速レバーと作業機昇降操作レバーを配置すると、両レバーが互いの操作を邪魔する惧れがある。
【０００５】
例えば、特許文献１では、サイドパネルの前側に、走行変速レバーと作業機昇降操作レバーを配置するにあたり、走行変速レバーを副変速レバー（通常、走行前に変速レンジを切換えるために操作され、走行中は操作されない）とし、走行中の主変速操作は、副変速レバーのグリップ部に設けた増減速スイッチで行なうようにしているため、走行変速レバーと作業機昇降操作レバーが互いの操作を阻害する可能性は低いが、サイドパネルに設けられる走行変速レバーを走行中に前後方向操作される主変速レバーとした場合は、走行変速レバーと作業機昇降操作レバーが互いの操作を邪魔する惧れがある。
【課題を解決するための手段】
【０００６】
本発明は、上記の如き実情に鑑みこれらの課題を解決することを目的として創作されたものであって、運転座席の外側方に、走行変速レバー及び作業機昇降操作レバーが配置されるサイドパネルを備えたトラクタにおいて、前記サイドパネルの前側に、走行変速レバーと作業機昇降操作レバーを前後方向操作可能に並列して設けるにあたり、走行変速レバーの操作レンジを外側かつ前側、作業機昇降操作レバーの操作レンジを内側かつ後側に設けて、両レバーの操作レンジを前後にずらすとともに、作業機昇降操作レバーの前方操作で作業機を下降動作、作業機昇降操作レバーの後方操作で作業機を上昇動作させ、さらに、走行変速レバーの操作レンジに、ニュートラル位置よりも前方に行くほど増速側にトランスミッションを変速動作させる手動変速操作レンジと、ニュートラル位置の後方位置に設定され、アクセルペダルの操作に応じてトランスミッションを自動的に変速動作させる自動変速レンジとを設け、該自動変速レンジの前後方向の位置を、作業機昇降操作レバーの下降操作レンジとオーバーラップさせたことを特徴とする。
また、前記サイドパネルの後部かつ外側に、自動制御用の設定操作具が配置される設定パネル部を設けたことを特徴とする。
【発明の効果】
【０００７】
請求項１の発明によれば、サイドパネルの前側に、走行変速レバーと作業機昇降操作レバーを前後方向操作可能に並列して設けるにあたり、走行変速レバーの操作レンジを外側かつ前側、作業機昇降操作レバーの操作レンジを内側かつ後側に設けて、両レバーの操作レンジを前後にずらしたので、左右方向の配設空間を拡大することなく、両レバーを互いに邪魔にならないように配置することができる。しかも、走行変速レバーと作業機昇降操作レバーの操作レンジを一部オーバーラップさせるにあたり、走行変速レバーの操作レンジにおいて作業時には操作されない自動変速レンジと、作業機昇降操作レバーの操作レンジにおいて作業時にのみ操作される下降操作レンジとをオーバーラップさせたので、作業時及び非作業時（例えば、路上走行時）のいずれにおいても、両レバーが互いに邪魔になる可能性を低減することができる。
また、請求項２の発明によれば、サイドパネルの後部かつ外側に、自動制御用の設定操作具が配置される設定パネル部を設けたので、走行変速レバー及び作業機昇降操作レバーの後側で、かつ設定パネル部の内側にアームレストの配設空間を確保し、両レバーの操作性を向上させることができる。
【図面の簡単な説明】
【０００８】
【図１】（Ａ）はトラクタの全体平面図、（Ｂ）はトラクタの全体左側面図である。
【図２】トラクタの運転部を示す平面図である。
【図３】トラクタのサイドパネルを示す斜視図である。
【図４】トラクタのサイドパネルを示す平面図である。
【図５】トラクタのサイドパネルを示す内側面図である。
【図６】トラクタのサイドパネル内部を示す斜視図である。
【図７】トラクタのサイドパネル内部を示す内側面図である。
【図８】トラクタのサイドパネル内部を示す外側面図である。
【発明を実施するための形態】
【０００９】
以下、本発明の実施の形態について、図面に基づいて説明する。図１において、１はトラクタの走行機体であって、該走行機体１は、エンジン（図示せず）が搭載されるエンジン搭載部２と、エンジン動力を変速するトランスミッション３と、トランスミッション３から出力される走行動力で駆動する前輪４及び後輪５と、各種の作業機が連結される作業機連結部６と、オペレータが乗車する運転部７とを備えて構成されている。
【００１０】
トランスミッション３には、エンジン動力を多段状又は無段状に変速する主変速機構（図示せず）と、主変速機構による変速レンジをシフトさせる副変速機構（図示せず）が組み込まれており、主変速レバー８（走行変速レバー）の操作に応じて主変速機構が変速操作され、副変速レバー９の操作に応じて副変速機構が変速操作される。また、非作業時（例えば、路上走行時）に選択される後述の自動変速状態（主変速レバー８を自動変速レンジＡに操作した状態）では、アクセルペダル１０の操作に応じて主変速機構が自動的に変速動作される。
【００１１】
作業機連結部６は、作業機を昇降自在に支持する３点リンク機構、作業機を昇降させる昇降用油圧シリンダ、作業機を左右傾斜させる傾斜用油圧シリンダ、走行機体１のＰＴＯ軸（図示せず）から出力される作業動力を作業機に伝動する作業動力伝動機構などを備えて構成されており、作業機は、作業機昇降操作レバー１１や微小上下操作スイッチ１２（微小上下操作具）の操作に応じて昇降動作される。
【００１２】
また、走行機体１には、各種の自動制御機能を実現するために制御装置（図示せず）が設けられている。例えば、本実施形態の制御装置は、作業機における耕深検出に応じて作業機を自動的に昇降制御する深さ自動制御や、作業機又は走行機体１における傾斜検出に応じて作業機を自動的に左右傾斜させる傾き自動制御を行なう。
【００１３】
図１及び図２に示すように、運転部７は、左右のリヤフェンダ１３間に配置される運転座席１４、運転座席１４の前方に配置されるステアリングホイール１５、運転座席１４の左外側方に配置される副変速レバー９、運転座席１４の右外側方に配置されるサイドパネル１６などを備える。サイドパネル１６は、前述した主変速レバー８、作業機昇降操作レバー１１、微小上下操作スイッチ１２の他、自動制御用の設定操作具が配置される設定パネル部１７や、オペレータの腕を支えるアームレスト１８を備えており、右側リヤフェンダ１３の内側に沿って設けられている。以下、本発明の要部であるサイドパネル１６について、図３〜図５を参照して説明する。
【００１４】
図３〜図５に示すように、主変速レバー８と作業機昇降操作レバー１１は、サイドパネル１６の前側に前後方向操作可能に並列配置されている。そして、作業機昇降操作レバー１１は、前方操作で作業機を下降動作させ、後方操作で作業機を上昇動作させる。また、主変速レバー８の操作レンジには、ニュートラル位置Ｎと、ニュートラル位置Ｎよりも前方に行くほど増速側にトランスミッション３（主変速機構）を変速動作させる手動変速操作レンジＭと、ニュートラル位置Ｎの後方位置に設定され、アクセルペダル１０の操作に応じてトランスミッション３（主変速機構）を自動的に変速動作させる自動変速レンジＡが設けられている。
【００１５】
本発明の実施形態では、サイドパネル１６の前側に、主変速レバー８と作業機昇降操作レバー１１を前後方向操作可能に並列して設けるにあたり、主変速レバー８の操作レンジを外側かつ前側、作業機昇降操作レバー１１の操作レンジを内側かつ後側に設けて、両レバー８、１１の操作レンジを前後にずらすとともに、主変速レバー８の操作レンジ後端部に設定される自動変速レンジの前後方向の位置を、作業機昇降操作レバー１１の下降操作レンジＡとオーバーラップさせている。
【００１６】
このようにすると、両レバー８、１１の操作レンジを前後にずらすことにより、左右方向の配設空間を拡大することなく、両レバー８、１１を互いに邪魔にならないように配置することができる。しかも、主変速レバー８と作業機昇降操作レバー１１の操作レンジを一部オーバーラップさせるにあたり、主変速レバー８の操作レンジにおいて作業時には操作されない自動変速レンジＡと、作業機昇降操作レバー１１の操作レンジにおいて作業時にのみ操作される下降操作レンジとをオーバーラップさせたので、作業時及び非作業時（例えば、路上走行時）のいずれにおいても、両レバー８、１１が互いに邪魔になる可能性を低減することができる。
【００１７】
また、本発明の実施形態では、サイドパネル１６の前側に、主変速レバー８と作業機昇降操作レバー１１を前後方向操作可能に並列して設けるにあたり、主変速レバー８を外側かつ高い位置、作業機昇降操作レバー１１を内側かつ低い位置に設けて、両レバー８、１１の位置を側面視で上下にずらすとともに、作業機昇降操作レバー１１の操作レンジ後方に形成される段部１９に、作業機を微小上下動作させる微小上下操作スイッチ１２を設けている。
【００１８】
このようにすると、両レバー８、１１の位置を側面視で上下にずらすことにより、左右方向の配設空間を拡大することなく、両レバー８、１１を互いに邪魔にならないように配置することができる。また、このような操作具の配置構成によれば、サイドパネル１６をリヤフェンダ１３の内側に配置するにあたり、主変速レバー８、作業機昇降操作レバー１１及び微小上下操作スイッチ１２をリヤフェンダ１３の内側傾斜に沿って省スペースに配置できるという利点がある。
【００１９】
また、本発明の実施形態では、両レバー８、１１の位置を前後及び上下にずらして配置するにあたり、主変速レバー８の配設部２０を上方に膨出させ、作業機昇降操作レバー１１の配設部２１を前側ほど低くなるように形成している。このようにすると、側面視における主変速レバー８と作業機昇降操作レバー１１の操作軌跡を可及的に離すことができるので、両レバー８、１１が互いの操作を邪魔する可能性をさらに低減させることができる。
【００２０】
設定パネル部１７は、サイドパネル１６の後部かつ外側に設けられている。これにより、主変速レバー８及び作業機昇降操作レバー１１の後側で、かつ設定パネル部１７の内側にアームレスト１８の配設空間が確保される。そして、主変速レバー８及び作業機昇降操作レバー１１の後側にアームレスト１８を設けることにより、両レバー８、１１の操作性を向上させることができる。
【００２１】
本実施形態では、設定パネル部１７に、傾き自動制御の目標傾斜を設定する傾き設定具２２や、ＰＴＯ回転を操作するＰＴＯ操作具２３を設けているが、設定パネル部１７に設けられる設定具や操作具に制限はない。例えば、本実施形態では、深さ自動制御の目標深さを設定する深さ設定具２４を主変速レバー８の後方に配置しているが、設定パネル部１７に深さ設定具２４を設けてもよい。
【００２２】
つぎに、主変速レバー８、作業機昇降操作レバー１１及びアームレスト１８の支持構造について、図６〜図８を参照して説明する。
【００２３】
図６〜図８に示すように、サイドパネル１６の内部には、サイドパネルフレーム２５が設けられる。サイドパネルフレーム２５は、機体フレーム側に取付けられる取付部２６と、取付部２６から立ち上がる支柱部２７と、支柱部２７の上端部から前方に延出するレバー支持部２８と、支柱部２７から後方に延出する後方延出部２９とを一体的に備えており、アームレスト１８は、支柱部２７及び後方延出部２９の上端部に取付けられる。
【００２４】
レバー支持部２８の前端部には、レバー支軸３０を介して主変速レバー８が前後回動自在に支持されている。主変速レバー８の基部には、主変速レバー８の操作位置を検出するポテンショメータ３１や、主変速レバー８を複数の操作位置で段階的に保持するディテント機構３２が設けられている。
【００２５】
また、レバー支持部２８の中間部には、レバー支軸３３を介して作業機昇降操作レバー１１が前後回動自在に支持されており、作業機昇降操作レバー１１の基部には、作業機昇降操作レバー１１の操作位置を検出するポテンショメータ３４が設けられている。
【００２６】
叙述の如く構成された本実施形態によれば、運転座席１４の外側方に、主変速レバー８及び作業機昇降操作レバー１１が配置されるサイドパネル１６を備えたトラクタにおいて、サイドパネル１６の前側に、主変速レバー８と作業機昇降操作レバー１１を前後方向操作可能に並列して設けるにあたり、主変速レバー８の操作レンジを外側かつ前側、作業機昇降操作レバー１１の操作レンジを内側かつ後側に設けて、両レバー８、１１の操作レンジを前後にずらすとともに、作業機昇降操作レバー１１の前方操作で作業機を下降動作、作業機昇降操作レバー１１の後方操作で作業機を上昇動作させ、さらに、主変速レバー８の操作レンジに、ニュートラル位置Ｎよりも前方に行くほど増速側にトランスミッション３を変速動作させる手動変速操作レンジＭと、ニュートラル位置Ｎの後方位置に設定され、アクセルペダル１０の操作に応じてトランスミッション３を自動的に変速動作させる自動変速レンジＡとを設け、該自動変速レンジＡの前後方向の位置を、作業機昇降操作レバー１１の下降操作レンジとオーバーラップさせたので、左右方向の配設空間を拡大することなく、両レバー８、１１を互いに邪魔にならないように配置することができ、しかも、主変速レバー８と作業機昇降操作レバー１１の操作レンジを一部オーバーラップさせるにあたり、主変速レバー８の操作レンジにおいて作業時には操作されない自動変速レンジＡと、作業機昇降操作レバー１１の操作レンジにおいて作業時にのみ操作される下降操作レンジとをオーバーラップさせたので、作業時及び非作業時（例えば、路上走行時）のいずれにおいても、両レバー８、１１が互いに邪魔になる可能性を低減することができる。
【００２７】
また、サイドパネル１６の後部かつ外側に、自動制御用の設定操作具が配置される設定パネル部１７を設けたので、主変速レバー８及び作業機昇降操作レバー１１の後側で、かつ設定パネル部１７の内側にアームレスト１８の配設空間を確保し、両レバー８、１１の操作性を向上させることができる。
【符号の説明】
【００２８】
１    走行機体
３    トランスミッション
６    作業機連結部
７    運転部
８    主変速レバー
９    副変速レバー
１０  アクセルペダル
１１  作業機昇降操作レバー
１２  微小上下操作スイッチ
１３  リヤフェンダ
１４  運転座席
１５  ステアリングホイール
１６  サイドパネル
１７  設定パネル部
１８  アームレスト
１９  段部
２０  配設部
２１  配設部
【図１】
2015074326.tif 000003
【図２】
2015074326.tif 000004
【図３】
2015074326.tif 000005
【図４】
2015074326.tif 000006
【図５】
2015074326.tif 000007
【図６】
2015074326.tif 000008
【図７】
2015074326.tif 000009
【図８】
2015074326.tif 000010